(57)【特許請求の範囲】
【請求項１】
裏面側の少なくとも対向二辺の辺部に塗布された粘着剤により配送物に貼着してポケットを形成するポケット形成部を備えた貼付票と、前記貼付票の開口側の辺部に折り兼切り取り部を介して連接された配達票と、前記配達票の貼付票と反対側の辺部に折り兼切り取り部を介して連接された控票との三帳票が一連に連続した感熱記録用紙からなり、
前記貼付票と配達票と控票との同一側の表面それぞれに同一の配送情報に関する配送情報記入部が設けられ、
前記配達票と控票とは連接方向に直交する幅寸法がポケット形成部のポケット幅寸法より小さく形成され、かつ、前記配達票は連接方向の高さ寸法がポケット形成部のポケット深さ寸法より小さく形成されて、貼付票を配送物に貼着して形成されるポケットに前記配達票と控票とが折り入れ可能に設けられ、
前記貼付票の開口側の辺部の両端には前記粘着剤を塗布しない非貼着部を備えて、貼付票の開口側の辺部が全長に亘って捲り起こし可能に設けられていることを特徴とする配送伝票。
【発明の詳細な説明】
【０００１】
【発明の属する技術分野】
本発明は配送物の配送業務に使用される配送伝票に関するものである。
【０００２】
【発明が解決しようとする課題】
従来から配送物の配送業務に使用される配送伝票においては、差出人側の控、配送依頼受付側の控、貼付票、配達部署側の控、配達員の控などの複数枚の帳票が重ねられて同一辺側で分離可能に綴じ合わされ、最上位の帳票に記載した配送情報（差出人住所氏名、受取人住所又は居所氏名、配送物名など）が下位の各帳票にも同時複写される構造であり、配送伝票の発行時には最上位の帳票にある配送情報記入部に配送情報を手書き記入したり、多くの配送伝票を発行するなどの場合にその情報記入の手間を減らすためにインパクト方式のプリンタにセットして配送情報を印字させるようにしていた。
【０００３】
また一方、昨今のサーマルプリンタなどのようにノンインパクト方式のプリンタがその印字処理における静粛性に優れている点や小型化し易いなどの点から、ノンインパクト方式のプリンタを用いて上記配送伝票の発行が行えるようにする試みがなされている。このようなノンインパクト方式のプリンタを用いる場合、従来の重ね合わされた配送伝票のような複写記入が困難であることから、上述した複数枚の帳票を同一面上に並べた配送伝票を使用し、この配送伝票をノンインパクト方式のプリンタにかけて各帳票における配送情報記入部それぞれに配送情報を印字するようにしている。
しかしながら、上述のノンインパクト方式のプリンタに対応させた配送伝票では複数枚の帳票が並設された状態となって配送伝票自体の大きさが大きくなっているため、配送伝票を取り付ける貼着面が小さい配送物にはこの複数枚の帳票が並設されている配送伝票を安定した状態で取り付け難く不向きであるという問題が生じている。
そこで本発明は上記事情に鑑み、上記ノンインパクト方式のプリンタにて配送情報の印字出力が行えるとともに、配送物への取付形態が小さくなるようにすることを課題とし、ノンインパクト方式のプリンタの利便性を生かしつつ配送伝票が配送物に適正に取り付けられるようにすることを目的とする。
【０００４】
【課題を解決するための手段】
本発明は上記課題を考慮してなされたもので、裏面側の少なくとも対向二辺の辺部に塗布された粘着剤により配送物に貼着してポケットを形成するポケット形成部を備えた貼付票と、前記貼付票の開口側の辺部に折り兼切り取り部を介して連接された配達票と、前記配達票の貼付票と反対側の辺部に折り兼切り取り部を介して連接された控票との三帳票が一連に連続した感熱記録用紙からなり、前記貼付票と配達票と控票との同一側の表面それぞれに同一の配送情報に関する配送情報記入部が設けられ、前記配達票と控票とは連接方向に直交する幅寸法がポケット形成部のポケット幅寸法より小さく形成され、かつ、前記配達票は連接方向の高さ寸法がポケット形成部のポケット深さ寸法より小さく形成されて、貼付票を配送物に貼着して形成されるポケットに前記配達票と控票とが折り入れ可能に設けられ、前記貼付票の開口側の辺部の両端には前記粘着剤を塗布しない非貼着部を備えて、貼付票の開口側の辺部が全長に亘って捲り起こし可能に設けられていることを特徴とする配送伝票を提供して、上記課題を解消するものである。
【０００５】
【発明の実施の形態】
つぎに本発明を図１から図４に示す実施の形態に基づいて詳細に説明する。
図中１は配送伝票で、該配送伝票１は感熱記録用紙からなるものであり、配送物ａに貼着する貼付票２と配送過程において配送作業員が取り扱うことになる配達票３と差出人側の控えや配送物ａの発送部署などでの発店控えとなる控票４とが一連に連続しているものである。
【０００６】
上記貼付票２はその裏面側の連続した三つの辺部に粘着剤５が塗布され、その粘着剤５で三方が囲まれている領域をポケット形成部６として備えており、この貼付票２を粘着剤５を介して配送物ａに貼着することで、図３に示すように前記ポケット形成部６と配送物ａの表面との間に一辺開放のポケット７を形成するようにしている。配達票３は貼付票２におけるポケット形成部６の開口側の辺部に折り兼切り取り部８を介して連接され、後述するようにこの配達票３は前記折り兼切り取り部８から折り曲げてポケット７に位置させることができる大きさとしている。また、上記控票４は配達票３の前記折り兼切り取り部８と反対側の辺部に位置する折り兼切り取り部９を介して連接されている。この控票４にあっても後述するように折り兼切り取り部９から折り曲げて前記配達票３とともにポケット７に入れることができるものとされている。
そして、これら貼付票２、配達票３、控票４それぞれは同一側の表面それぞれに配送情報記入部１０が設けられていて、これら配送情報記入部１０へは同一の配送情報に基づいて所要の情報が記載される。例えば、配送物ａの差出人住所氏名、受取人住所氏名、配送物品名などの情報がそれぞれの配送情報記入部を構成している項目に応じて出力されるようにする。このように、配送伝票１において三枚の帳票が一連に連接され、それぞれの帳票において同一面側に配送情報記入部１０が設けられていることから、この配送伝票１をノンインパクト式の感熱プリンタに装填し、各帳票の配送情報記入部１０それぞれに対応した配送情報を印字出力することができる。ｂは粘着剤を覆う剥離紙である。
【０００７】
図１に示されているように、上記配送伝票１の配達票３及び控票４は三帳票の連接方向に直交する幅寸法Ｄ３，Ｄ４は貼付票２におけるポケット形成部６のポケット幅寸法（ポケットの内寸）Ｄ６より小さく設けられている。また、前記配達票３の連接方向における高さ寸法Ｈ３はポケット形成部６のポケット深さ寸法Ｈ６より小さく設けられている。控票４にあってはその連接方向の高さ寸法Ｈ４は前記配達票３の連接方向の高さ寸法Ｈ３以上に大きく設けられている。図３は貼付票２のポケット形成部６側に配達票３と控票４とを折り畳んだ状態を示していて、この状態で配送伝票１を配送物に貼着することで配達票３と控票４とをポケット７に配置される。そして、控票４は上述したように高さ寸法Ｈ４が高さ寸法Ｈ３以上に大きく、ポケット７に折り入れられている状態ではその控票４の上縁が貼付票２の折り兼切り取り部８に揃った位置やその折り兼切り取り部８から食出る位置になり、特に図示した例にあっては控票４の高さ寸法Ｈ４が高さ寸法Ｈ３より大きいものとなっているために控票４の上縁が食出る状態となる（図２、図４参照）。このように控票４にあってはその高さ寸法Ｈ４が共に折り込まれる配達票３の高さ寸法Ｈ３以上に大きくして、この配送伝票１を折り畳んだ状態で配送物ａに貼着しても、前記控票４の上端がポケット７の開口やその開口から食出る形で位置するようにしているが、控票４の高さ寸法Ｈ４を配達票３の高さ寸法Ｈ３と同じにしたり、或は配達票３の高さ寸法Ｈ３より小さくすることも可能であって、このようにしてもポケット７の開口側の内方に控票４の上縁が位置するため、控票４の引出しは簡単に行えるものである。
【０００８】
このように配達票３と控票４とをポケット形成部６の背部側に折り込めるようになるため、配送情報を記載した配送伝票１が小型のものとなり、小さな配送物ａであっても配送伝票１を確実に取り付けられるようになる。そして、ポケット７に折り入れられた状態において上記控票４の上縁がポケット７の開口に位置したりその開口から食出るようになるため、配送物ａの配送過程において控票４を取り出して分離する際にはその控票４の上縁がつまみ部分となりポケット７からの引出しが容易に行えるものとなり、引出した後に折り兼切り取り部９から分離すればよい。
上記控票４の引出しに伴って配達票３も引き出されるようになり、必要に応じて折り兼切り取り部８から配達票３を切り取るようにすることで配達作業員がこの配達票３を手元管理できるようになり、そして、例えばこの配達票３を配送物ａの受取人から受領確認を受けるための受領票としても使用することが可能である。
【０００９】
上記貼付票２においては、三辺部に沿って略コ字状に塗布された粘着剤５はその貼付票２の開口側の辺部には達しておらず、その開口側の辺部の両端にこの粘着剤を塗布しない非貼着部１１を備えている。このように貼付票２の開口側の辺部の両端に非貼着部１１を備えて配送物ａに対してその開口側の辺部両端が貼着固定されないようにしているため、貼付票２においては開口側の辺部が全長に亘って捲り起こし可能に設けられ、ポケット７の開口が開き易くなって控票４の引出しが容易に行える。
なお、上記貼付票２において三辺部に沿って略コ字状に粘着剤を塗布するようにしたが、帳票の連接方向に直交する方向で対向する対向二辺の辺部に、上述した非貼着部を有する形で粘着剤を塗布するようにしてもよく、このように対向する二辺部で配送物ａに貼付票２を貼着してもその間にポケット７を形成することができるものである。
【００１０】
【発明の効果】
以上説明したように本発明の配送伝票は、裏面側の少なくとも対向二辺の辺部に塗布された粘着剤により配送物に貼着してポケットを形成するポケット形成部を備えた貼付票と、前記貼付票の開口側の辺部に折り兼切り取り部を介して連接された配達票と、前記配達票の貼付票と反対側の辺部に折り兼切り取り部を介して連接された控票との三帳票が一連に連続した感熱記録用紙からなり、前記貼付票と配達票と控票との同一側の表面それぞれに同一の配送情報に関する配送情報記入部が設けられ、前記配達票と控票とは連接方向に直交する幅寸法がポケット形成部のポケット幅寸法より小さく形成され、かつ、前記配達票は連接方向の高さ寸法がポケット形成部のポケット深さ寸法より小さく形成されて、貼付票を配送物に貼着して形成されるポケットに前記配達票と控票とが折り入れ可能に設けられ、前記貼付票の開口側の辺部の両端には前記粘着剤を塗布しない非貼着部を備えて、貼付票の開口側の辺部が全長に亘って捲り起こし可能に設けられていることを特徴とするものである。
このように、貼付票と配達票と控票とが一連に連接して同一表面側に配送情報記入部を設けた感熱記録用紙から配送伝票が形成されているため、感熱プリンタにこの配送伝票をセットして配送情報を各帳票に印字出力することができる。そして、貼付票のポケット形成部側に配達票と控票とを折り畳んで配送伝票を小型化できるとともに、配送物にこの配送伝票を取り付けた状態で控票や配達票を引き出すことができ、小さな配送物に対しても複数の帳票を備えるこの配達伝票を適正に取り付けることができる。
さらに、貼付票とこの貼付票を貼着した配送物との間にポケットが形成されるようになるため、貼付票に連続した状態での配達票や貼付票の収納部として利用する他に、例えば配送物の受取人が不在である場合、配達作業員が予め切り取って手元で管理していた配達票をその一部が見えるようにしてポケットに入れて、受取人が不在であった配送物と未配達分の配送物との区分けが行い易いようにするなど、配送物を仕分けるための帳票入れとしてそのポケットを利用することが可能になるなど、実用性に優れた効果を奏するものである。
【図面の簡単な説明】
【図１】  本発明に係る配送伝票の実施例を示すもので、（イ）は表面側を示す説明図、（ロ）は裏面側を示す説明図である。
【図２】  実施例を折り畳んで配送物に貼着した状態を示す説明図である。
【図３】  実施例を折り畳んで配送物に貼着した状態を断面で示す説明図である。
【図４】  控票を引き出す状態を示す説明図である。
【符号の説明】
１…配送伝票
２…貼付票
３…配達票
４…控票
５…粘着剤
ａ…配送物
６…ポケット形成部
７…ポケット
１０…配送情報記入部
１１…非貼着部
【図１】
0003728882.tif 000002
【図２】
0003728882.tif 000003
【図３】
0003728882.tif 000004
【図４】
0003728882.tif 000005